(57)【要約】      （修正有）【課題】ホロスコープの作成を簡易且つ容易とすることができ、天体の配置を自由に移動させることができ、かつ容易にホロスコープの解釈ができる占星術キットを提供する。【解決手段】占星術キットは、回転軸２の軸線方向に延びる中心線３と星座盤４とハウスカスプシート１０と天体ユニット１３とを備え、星座盤４には基準円５と星座記載部６と星座記号、さらに基準円５の中心に対する角度を示す第１の目盛り円が描かれ、ハウスカスプシート１０は略円盤形状であって直径方向に描かれた境界線１１が描かれ、天体ユニット１３は複数の天体セグメント１４からなり、この天体セグメント１４は複数の天体を示す天体記号１５のいずれかが描かれていてハウスカスプシート１０の上方で移動可能であり、星座盤４及びハウスカスプシート１０は回転軸２を介して一体化されている。【選択図】図１
0003202731.tif 000002
【実用新案登録請求の範囲】
【請求項１】
回転軸の軸線方向に延びる中心線と、
該中心線を中心とする基準円が描かれ、該基準円の外周が１２等分されて形成された星座記載部を有し、該星座記載部のそれぞれに１２の星座を示す星座記号のいずれかが描かれ、さらに前記基準円と同心円の外縁を有して前記基準円の中心に対する角度を示す目盛りが付された第１の目盛り円が描かれている星座盤と、
該星座盤上に配され、前記中心線を中心として回転し且つ前記基準円と同心円の外縁を有する略円盤形状であって、直径方向に描かれた境界線が描かれた透明な複数枚のハウスカスプシートと、
該ハウスカスプシート上に配されている又は配されるべき天体ユニットとを備え、
前記天体ユニットは、複数の天体セグメントからなり、
該天体セグメントは、複数の天体を示す天体記号のいずれかが描かれていて前記ハウスカスプシートの上方で移動可能であり、
前記星座盤及び前記ハウスカスプシートは、前記回転軸を介して一体化されていることを特徴とする占星術キット。
【請求項２】
前記星座盤には、前記基準円と同心円の外縁を有し且つ前記第１の目盛り円よりも小径の第２の目盛り円が描かれていて、
前記天体セグメントは、前記第１の目盛り円に対応する目印を有する透明な第１の天体シート、及び前記第２の目盛り円に対応する目印を有する透明な第２の天体シートで形成され、
前記第１及び第２の天体シートは、前記中心線を中心に回転可能に形成されて前記回転軸を介して前記星座盤及び前記ハウスカスプシートと一体化され、
前記天体ユニットは、前記第１及び第２の天体シートが重なって形成されていることを特徴とする請求項１に記載の占星術キット。
【請求項３】
前記天体セグメントは、複数個の駒として独立している天体駒として形成されていて、
前記天体駒と前記星座盤は磁性を帯びて互いに引き合うマグネット部をそれぞれ有していることを特徴とする請求項１に記載の占星術キット。
【請求項４】
前記中心線を中心として前記基準円と同心円の外縁を有するアスペクト円が描かれ、
該アスペクト円には、規定となる半径の線として描かれた基準線を０°として一方の周方向に６０°、９０°、１２０°、１８０°のメジャーアスペクトが描かれ、前記基準線から前記一方の周方向とは逆の周方向に３０°、４５°、７２°、１３５°、１４４°、１５０°のマイナーアスペクトが描かれた透明のアスペクトカードをさらに備えたことを特徴とする請求項１〜３のいずれかに記載の占星術キット。
【請求項５】
前記境界線によって前記基準円が区分されて形成されたハウスのそれぞれに対応する１２枚のハウスカードと、
前記天体のそれぞれに対応する１０枚の天体カードと、
前記星座のそれぞれに対応する１２枚の星座カードとをさらに備え、
前記ハウスカード、前記天体カード、及び前記星座カードには、それぞれ色の概念が付されていることを特徴とする請求項１〜４のいずれかに記載の占星術キット。
【考案の詳細な説明】
【技術分野】
【０００１】
本考案は、西洋占星術やカラーセラピー等を行う際の占星術キットに関するものである。
【背景技術】
【０００２】
占星術を行う際にはホロスコープの作成が必要である。ホロスコープのための指標は人の出生データによって作成されるものであり、予め天文暦で決定される。この指標を視認しやすくし、占星術時に用いられるものがホロスコープである。このホロスコープの作成手段として、手書きの図やパソコン等がある。
【０００３】
ホロスコープは、周囲に星座が記載された円形状の星座盤を有している。この星座盤に境界線を形成し、区分された１２のハウスを形成する。そしてこれらハウスに対して天体を当てはめていく。これによりホロスコープが完成する。しかしながら、従来ではハウスに当てはめられた天体を動かすことができず、例えば出生時の天体の位置から現在の天体の位置への動きを見たり、あるいは他人の天体と比べたりしたいときに不便であった。また、手書きにしてもパソコンを用いるにしても、ホロスコープの解釈は熟練を要するので、これを簡単に理解及び視認できるような手段が望まれていた。なお、従来技術では、ホロスコープを解釈する手段として、特許文献１のようなシート状のものがある。
【先行技術文献】
【特許文献】
【０００４】
【特許文献１】実開昭６２−１１２７２７号公報
【考案の概要】
【考案が解決しようとする課題】
【０００５】
本考案は、上記従来技術を考慮したものであり、ホロスコープの作成を簡易且つ容易とすることができ、天体の配置を自由に移動させることができ、容易にホロスコープの解釈ができる占星術キットを提供することを目的とする。
【課題を解決するための手段】
【０００６】
前記目的を達成するため、本考案では、回転軸の軸線方向に延びる中心線と、該中心線を中心とする基準円が描かれ、該基準円の外周が１２等分されて形成された星座記載部を有し、該星座記載部のそれぞれに１２の星座を示す星座記号のいずれかが描かれ、さらに前記基準円と同心円の外縁を有して前記基準円の中心に対する角度を示す目盛りが付された第１の目盛り円が描かれている星座盤と、該星座盤上に配され、前記中心線を中心として回転し且つ前記基準円と同心円の外縁を有する略円盤形状であって、直径方向に描かれた境界線が描かれた透明な複数枚のハウスカスプシートと、該ハウスカスプシート上に配されている又は配されるべき天体ユニットとを備え、前記天体ユニットは、複数の天体セグメントからなり、該天体セグメントは、複数の天体を示す天体記号のいずれかが描かれていて前記ハウスカスプシートの上方で移動可能であり、前記星座盤及び前記ハウスカスプシートは、前記回転軸を介して一体化されていることを特徴とする占星術キットを提供する。
【０００７】
好ましくは、前記星座盤には、前記基準円と同心円の外縁を有し且つ前記第１の目盛り円よりも小径の第２の目盛り円が描かれていて、前記天体セグメントは、前記第１の目盛り円に対応する目印を有する透明な第１の天体シート、及び前記第２の目盛り円に対応する目印を有する透明な第２の天体シートで形成され、前記第１及び第２の天体シートは、前記中心線を中心に回転可能に形成されて前記回転軸を介して前記星座盤及び前記ハウスカスプシートと一体化され、前記天体ユニットは、前記第１及び第２の天体シートが重なって形成されている。
【０００８】
好ましくは、前記天体セグメントは、複数個の駒として独立している天体駒として形成されていて、前記天体駒と前記星座盤は磁性を帯びて互いに引き合うマグネット部をそれぞれ有している。
【０００９】
好ましくは、前記占星術キットには、前記中心線を中心として前記基準円と同心円の外縁を有するアスペクト円が描かれ、該アスペクト円には、規定となる半径の線として描かれた基準線を０°として一方の周方向に６０°、９０°、１２０°、１８０°のメジャーアスペクトが描かれ、前記基準線から前記一方の周方向とは逆の周方向に３０°、４５°、７２°、１３５°、１４４°、１５０°のマイナーアスペクトが描かれた透明のアスペクトカードをさらに備えている。
【００１０】
好ましくは、前記境界線によって前記基準円が区分されて形成されたハウスのそれぞれに対応する１２枚のハウスカードと、前記天体のそれぞれに対応する１０枚の天体カードと、前記星座のそれぞれに対応する１２枚の星座カードとをさらに備え、前記ハウスカード、前記天体カード、及び前記星座カードには、それぞれ色の概念が付されている。
【考案の効果】
【００１１】
本考案によれば、星座盤上に配されたハウスカスプシートを回転させることで、基準円を境界線にて区分することができる。すなわち、この区分された領域であるハウスを容易に形成することができる。このとき、ハウスカスプシートは透明であるため、複数のハウスカスプシートを重ねて使用しても全ての境界線で形成されたハウスを視認することができる。またホロスコープを作成する際は、このハウスカスプシートを回転させてハウスを形成し、その上に天体セグメントを移動させながら配すればよいので、誰でもホロスコープの作成を簡易且つ容易とすることができる。天体セグメントはハウスカスプシートの上方で移動可能であるので、占星術に必要な天体の配置を自由に移動させることができる。そして、星座盤とハウスカスプシートが一体化されていることで、全体として一つにまとまっているため、取り扱い性がよい。この一体化は星座盤とハウスカスプシートとが一つの回転軸を介して行われているので、ハウスの形成もわかりやすく行うことができ、またハウス形成時にずれが生じることも抑制できる。
【００１２】
また、天体セグメントとして第１の天体シートと第２の天体シートとを採用し、これらが有する目印がそれぞれ第１の目盛り円及び第２の目盛り円と対応していることで、一つの星座盤に対して２つの天体の配置を表すことができる。これにより、現在の天体の配置と出生時の天体の配置等を同時に表すことができ、それぞれを比較することができる。また現在から未来を説明するときは、第１又は第２の天体シートを移動させながら説明することができる。これにより天体と星座の流れに沿った時系列で説明をすることができるようになる。さらにこれら第１及び第２の天体シートは星座盤及びハウスカスプシートと同一の回転軸を介して一体的に形成されているので、さらに取り扱い性が向上し、第１及び第２の天体シートの配置も容易となる。このため、ホロスコープの作成と変更の時間短縮を図ることができる。これら第１及び第２の天体シートで形成された天体ユニットは全てのシートが重なって形成されているので、全体としてコンパクト化され、利用者にとっても気軽に且つ身近にホロスコープ作成を感じることができる。
【００１３】
また、天体セグメントを複数個の独立した駒である天体駒として採用することで、天体の配置を自由に行うことができる。このとき、天体駒と星座盤のそれ自体をマグネットからなるマグネット部とするか、又はそれぞれにマグネットからなるシートを貼り付けるか等して互いに磁性により引き合うように形成すれば、一度配置させた天体駒がずれたりして動いてしまうことを防止できる。
【００１４】
また、アスペクトカードをさらに使用することで、天体セグメントによって表された天体の角度と座相を容易に確認することができる。これにより、天体同士がお互いに作用する影響力の強さの関係を簡易に確認できる。このアスペクトカードは透明であるため、形成されたハウスや天体の視認を妨げることはない。透明なため、裏返して、反転させメジャーアスペクトとマイナーアスペクトの両方を使用することが可能である。
【００１５】
また、ハウスカード、天体カード、及び星座カードにそれぞれ色の概念が付されていることで、ホロスコープによる占星術に加え、適した色を導いて支援するようなカラーセラピーの要素を取り入れることができる。
【図面の簡単な説明】
【００１６】
【図１】本考案に係る占星術キットに用いるホロスコープ作成本体の一例を示す概略図である。
【図２】星座盤に描かれた基準円の概略図である。
【図３】ハウスカスプシートの概略図である。
【図４】第１の天体シートの概略図である。
【図５】第２の天体シートの概略図である。
【図６】本考案に係る占星術キットに用いるホロスコープ作成本体を用いて作成されたホロスコープの概略図である。
【図７】本考案に係る占星術キットに用いるホロスコープ作成本体の別の一例を示す概略図である。
【図８】アスペクトカードの概略図である。
【図９】ハウスカードの概略図である。
【図１０】天体カードの概略図である。
【図１１】星座カードの概略図である。
【図１２】天体カードが示す天体と色、及びパワーストーンとの関係を示す表である。
【考案を実施するための形態】
【００１７】
本考案に係る占星術キットは、図１に示すようなホロスコープ作成本体１と後述する各種カード２６、２７、２８とが組み合わさって形成されている。ホロスコープ作成本体１は各構成部品のほとんどの回転中心となる回転軸２の軸線方向に延びる中心線３を備えている。ホロスコープ作成本体１はその下側に星座盤４を備えている。この星座盤４には、中心線３を中心とする基準円５が描かれている。図２に示すように、基準円５の外周は１２等分されていて、ここに星座記載部６が形成されている。すなわち、基準円５の外周には１２個の星座記載部６が形成されている。この星座記載部６のそれぞれには１２の星座を示す星座記号７のいずれかが描かれている。図の例では、星座記号７として特定の星座を示すための一般的な図を記載しているが、どの星座かわかればどのような図形や記号を用いてもよいし、また図形や記号ではなく文字で記載してもよい。星座記号７が示す具体的な星座は、牡羊座、牡牛座、双子座、蟹座、獅子座、乙女座、天秤座、蠍座、射手座、山羊座、水瓶座、魚座である。
【００１８】
星座盤４には、この基準円５と同心円であって基準円５の内側に第１の目盛り円８が描かれている。すなわち、第１の目盛り円８は基準円５と同心円の外縁を有した円形状を有している。第１の目盛り円８には、その中心（基準円５の中心）に対する角度を示す目盛りが付されている。この目盛りは、詳細な占星術を施すために１°ずつの間隔で示されていた方が好ましい。さらに星座盤４には、第１の目盛り円８の内側に第２の目盛り円９が描かれている。第２の目盛り円９は、第１の目盛り円８と同心円を有する形状であり、且つ基準円５と同心円の外縁を有し、第１の目盛り円８よりも小径である。なお、図１では第１及び第２の目盛り円８、９についての目盛りは省略している。また、図１では第２の目盛り円８にも星座記載部６が形成されたものを一例として記載している。なお、上記目盛り円８、９は同心円状の円として３つ以上形成してもよく、例えば目盛り円が三重円や五重円で形成されていてもよい。
【００１９】
このような基準円５や第１及び第２の目盛り円８、９が描かれた星座盤４の上には、ハウスカスプシート１０が配されている。ハウスカスプシート１０は６枚重なって用いられる。ここのハウスカスプシート１０は略円盤形状であり、中心は回転軸２を挿通可能な孔１００ａが形成されている。すなわち、ハウスカスプシート１０は中心線を中心として回転可能であり、基準円５と同心円の外縁を有している。このハウスカスプシート１０は透明材料にて形成されていて、その直径方向には境界線１１が描かれている。ハウスカスプシート１０は透明材料で形成されているので、複数が重なった状態でいずれかのハウスカスプシート１０を回転させたとしても、上方から全てのハウスカスプシート１０の境界線が視認可能である。ホロスコープを作成する際は、このハウスカスプシート１０を図１に示す矢印Ｒ１方向に回転させてハウス１８（図６参照）と呼ばれる領域を形成する。このとき、ハウスカスプシート１０の回転を容易とするため、外側に突出するつまみ１２を形成してもよい。
【００２０】
ハウスカスプシート１０の上には、天体ユニット１３が配されている。この天体ユニット１３は複数の天体セグメント１４からなり、この天体セグメント１４には天体記号１５が描かれている。天体記号１５とは、複数の天体のうちのいずれかを表すものである。天体セグメント１４は、ハウスカスプシート１０の上方で移動可能である。図１の例では、天体セグメント１４として、互いに重なって形成された第１の天体シート１６（図４参照）及び第２の天体シート１７（図５参照）を示している。これら第１及び第２の天体シート１６、１７も回転軸２を挿通可能な孔１００ｂ、１００ｃが形成されていて、したがって第１及び第２の天体シート１６、１７は中心線３を中心に回転する（図１の矢印Ｒ２方向）。そして、第１及び第２の天体シート１６、１７は透明材料で形成されているので、星座盤４やハウスカスプシート１０の境界線で形成されたハウス１８（図６参照）の視認を妨げることはない。なお、上述した複数の天体は、具体的には１０個の天体であり、それぞれ太陽、月、水星、金星、火星、木星、土星、天王星、海王星、冥王星である。さらに、天体として小惑星等を追加してもよい。
【００２１】
第１及び第２の天体シート１６、１７の先端にはそれぞれ第１及び第２の目盛り円８、９と対応している目印２１、２２が描かれている。この目印２１、２２はそれぞれ第１及び第２の目盛り円８、９に描かれた目盛りを指し示すことができる位置に描かれている。すなわち、第１及び第２の天体シート１６、１７の回転角度が容易に第１及び第２の目盛り円８、９を参照して認識できるようになっている。このため、大径の第１の目盛り円８に対応する第１の天体シート１６は、小径の第２の目盛り円９に対応する第２の天体シート１７よりも長尺に形成されている。
【００２２】
ここで、星座盤４に示された基準円５の中心には、ハウスカスプシート１０及び天体ユニット１３と同様に、回転軸２を挿通可能な孔１００ｄが形成されている。この回転軸２は例えば、ねじであり、この回転軸２は天体ユニット１３（全ての天体セグメント１４）、ハウスカスプシート１０、そして星座盤４を挿通し、ねじ孔１９を有するナット２０でこれらを挟持し、一体化している。すなわち、星座盤４及びハウスカスプシート１０は、回転軸２を介して一体化されているとともに、第１及び第２の天体シート１６、１７も星座盤４及びハウスカスプシート１０と一体化されている。回転軸２としては、ボルトとナットの組み合わせや、足割りリベット、組ねじ、ハトメ、カシメなどを利用することができる。
【００２３】
以上のような構成からなるホロスコープ作成本体１を用いてホロスコープを作成する場合、まずは占星術を施す対象者の出生データから導き出される指標を割り出す。この割り出し作業は術者が天文暦を調べることによって行う。そして割り出された指標を基にホロスコープを作成する。まずはハウスカスプシート１０をそれぞれ回転させてハウス１８を星座盤４の基準円５上に形成する。次にこのハウス１８内に天体ユニット１３を用いて天体を配置していく。このようにして形成されたホロスコープは、図６に示すように、容易に視認することができ、さらに術者として初心者であっても容易に形成することができる。特に、星座盤４上に配されたハウスカスプシート１０を回転させる構造であるので、基準円５を境界線１１にて容易に区分することができる。すなわち、この区分された領域であるハウス１８を容易に形成することができる。このとき、ハウスカスプシート１０は透明であるため、複数のハウスカスプシート１０を重ねて使用しても全ての境界線１１で形成されたハウス１８を視認することができる。
【００２４】
またホロスコープを作成する際は、このハウスカスプシート１０を回転させてハウス１８を形成し、その上に天体セグメント１４（第１及び第２の天体シート１６、１７）を移動させながら配すればよいので、誰でもホロスコープの作成を簡易且つ容易とすることができる。天体セグメント１４はハウスカスプシート１０の上方で移動可能であるので、占星術に必要な天体の配置を自由に移動させることができる。そして、星座盤４とハウスカスプシート１０が一体化されていることで、全体として一つにまとまっているため、取り扱い性がよい。この一体化は星座盤４とハウスカスプシート１０とが一つの回転軸２を介して行われているので、ハウス１８の形成もわかりやすく行うことができ、またハウス１８形成時にずれが生じることも抑制できる。これとともに、第１及び第２の天体シート１６、１７も星座盤４及びハウスカスプシート１０と同一の回転軸２を介して一体的に形成されているので、さらに取り扱い性が向上し、第１及び第２の天体シート１６、１７の配置も容易となる。このため、ホロスコープの作成時間の短縮を図ることができる。これら第１及び第２の天体シート１６、１７で形成された天体ユニット１３は全てのシートが重なって形成されているので、全体としてコンパクト化され、利用者にとっても気軽に且つ身近にホロスコープ作成を感じることができる。
【００２５】
また、天体セグメント１４として第１の天体シート１６と第２の天体シート１７とを採用し、これらが有する目印２１、２２がそれぞれ第１の目盛り円８及び第２の目盛り円９と対応していることで、一つの星座盤４に対して２つの天体の配置を表すことができる（図１の例では２つだが、天体セグメント１４は３つ以上としてもよい）。これにより、現在の天体による配置と出生時の天体による配置等を同時に表すことができ、それぞれを比較することができる。また現在から未来を説明するときは、第１又は第２の天体シート１６、１７を移動させながら説明することができる。これにより、数日から何十年分を動かしながら天体と星座の流れに沿った時系列で説明をすることができるようになる。特にこの天体セグメント１４を動かせる効果としては、上述したように出生チャート（生まれたときの星の配置（ネイタル））や現在チャート（現在の星の配置（トランジット））や予測チャート（任意の時点の星の配置（プログレス））を同時に見ることができる。他には、例えば他人との相性を見たいとき等に複数の天体セグメント１４を利用して、相手のホロスコープと見比べることができる。
【００２６】
なお、天体セグメント１４として第１及び第２の天体シート１６、１７の上にさらに同様のシートを重ねてもよいが、図７に示すように複数個の駒として独立して、ハウスカスプシート１０上に配されるべき天体駒２３を利用してもよい。この天体駒２３を天体セグメント１４として併せて利用することで、３つの天体をホロスコープ上に表すことができる。天体駒２３はハウスカスプシート１０の上に載置され、したがってハウス１８内に載置されるものである。このように、天体セグメント１４を複数個の独立した駒である天体駒２３として採用することで、天体の配置を自由に行うことができる。なお、天体セグメント１４として、図７に示すように第１及び第２の天体シート１６、１７と天体駒２３とを組み合わせてもよいし、天体駒２３を単独で用いてもよい。このとき、天体駒２３と星座盤４に磁性を帯びて互いに引き合うマグネット部（不図示）をそれぞれ備えてもよい。これにより、一度配置させた天体駒がずれたりして動いてしまうことを防止できる。なお、マグネット部としては天体駒２３と星座盤４のそれ自体をマグネットで形成してもよいし、それぞれにマグネットからなるシート等を貼り付けてもよい。
【００２７】
天体セグメント１４によって表された天体の角度や座相を確認するため、星座盤４と天体ユニット１３の上に図８に示すようなアスペクトカード２４を配してもよい。このアスペクトカード２４には、中心線３を中心とし、且つ基準円５と同心円の外縁を有するアスペクト円３０が描かれている。アスペクト円３０の中心からは規定となる半径の線として描かれた基準線２５が描かれている。この基準線２５が０°となり、この基準線２５に対して一方の周方向（図８に向かって右側方向）に６０°、９０°、１２０°、１８０°となる線のメジャーアスペクトがアスペクト円３０には描かれている。一方、基準線２５から逆の周方向（図８に向かって左側方向）に３０°、４５°、７２°、１３５°、１４４°、１５０°となる線のマイナーアスペクトがアスペクト円３０には描かれている。このようなアスペクトカード２４をさらにホロスコープ作成本体１の上に乗せ、天体セグメント１４によって表された天体の角度を容易に確認することができる。これにより、天体同士がお互いに作用する影響力の強さの関係を簡易に確認できる。アスペクトカード２４も透明材料で形成されている。このように、アスペクトカード２４は透明であるため、形成されたハウス１８や天体の視認を妨げることはない。またアスペクトカード２４は透明なため、裏返して、反転させメジャーアスペクトとマイナーアスペクトの両方を使用することが可能である。
【００２８】
占星術キットは、さらに図９に示すようなハウスカード２６を備えている。ハウスカード２６の表面にはハウス１８の番号が付されている。上述したハウスカスプシート１０が６枚であり、境界線１１が直径方向に描かれている関係上、作成されるハウス１８は１２となる。したがってこの１２のハウス１８に対応できるよう、ハウスカード２６は１２枚用意されている。ハウスカード２６の表面にはさらに１２星座、月、ハウス番号が記載されている。形成されたハウス１８にはそれぞれ番号が付され、どの番号のハウスに何座があるかを確認される。そしてハウスカード２６の裏面にはそれぞれの星座に対応して解説文が１２種類記載されている。まずはどのハウス１８に何座があるかにより、その裏面を読むことで一つの解説文が得られる。例えば第１ハウスに獅子座（星座記載部６の星座記号７により確認）があった場合、１ＨＯＵＳＥと記載されたハウスカード２６の裏面にある獅子座の解説文を参照する。
【００２９】
占星術キットは、さらに図１０に示すような１０枚の天体カード２７を備えている。この天体カード２７は上述した天体の数に対応した枚数である１０枚が用意されている。天体カード２７の表面にはその中央に大きく天体の絵が描かれ、その下に天体記号１５が描かれている。天体カード２７の裏面には、各ハウス１８に対応した解説文が記載されている。使い方としては、ホロスコープを確認し、天体セグメント１４に記載された天体記号１５がどのハウス１８にあるかを確認する。そして、各天体が配されたハウス１８の番号に応じて、対応する天体カード２７の裏面を参照し、天体ごとに一つの解説文を得ることができる。例えば月が第１ハウスにあった場合（天体セグメント１４に記載された天体記号１５がどのハウスにあるかで確認）、月が描かれた天体カード２７の裏面にある第１ハウスの解説文を参照する。
【００３０】
占星術キットは、さらに図１１に示すような１２枚の星座カード２８を備えている。星座カード２８の表面には各星座に対応した絵と星座（記号）が記載され、裏面には各天体に対応した解説文がそれぞれ記載されている。使い方としては、天体がどの星座にあるかを確認し、該当する星座の星座カード裏面に記載された対応する天体ごとに一つの解説文を得ることができる。例えば太陽が蟹座にあった場合（天体セグメント１４に記載された天体記号１５がどの星座記載部６の星座記号７に対応しているかで確認）、蟹座が描かれた星座カードの裏面にある太陽の解説文を参照する。なお、各カードの裏面に記載してある解説文の組み合わせパターンは前述の組み合わせパターンに限らず、例えば、ハウスカードの裏に天体解説文、天体カードの裏に星座解説、星座カードの裏にハウスの解説があってもよい。これにより、ホロスコープ上の天体がどの位置に配置するかによって異なる解説が可能となる。このように、各カードの裏面に解説文が記載されていることで、占いだけではなくセラピーとしての活用もすることができる。
【００３１】
以上のように、ホロスコープを作成し、３種類のカード２６、２７、２８のそれぞれ又は組み合わせを参照することでホロスコープと占星術を簡易且つ容易に理解することができるようになる。本考案はこれにとどまるものではなく、さらにカラーセラピーの要素を取り入れたアドバイスが可能となっている。すなわち、ハウスカード２６、天体カード２７、及び星座カード２８には、それぞれ色の概念が付されている。このようにハウスカード２６、天体カード２７、及び星座カード２８にそれぞれ色の概念が付されていることで、ホロスコープによる占星術に加え、適した色を導いて支援するようなカラーセラピーの要素を取り入れることができるようになる。
【００３２】
ハウスカード２６には、１２星座とこの１２星座のそれぞれに対応した１２色相環による色が示されている。例えば、牡羊座には赤色、牡牛座にはコーラル色、双子座にはオレンジ色、蟹座にはゴールド色、獅子座には黄色、乙女座にはライム色、天秤座にはグリーン色、蠍座にはターコイズ色、射手座には青色、山羊座にはインディゴ色、水瓶座にはバイオレット色、魚座にはマゼンタ色がそれぞれ付されている。
【００３３】
また、天体カード２７には図１２に示すように、太陽には黄色、月にはシルバー色（銀色）、水星にはライトブルー色（水色）、金星にはピンク色、火星には赤色、木星にはゴールド色（金色）、土星にはダーク色（茶色）、天王星にはターコイズ色（青緑色）、海王星にはバイオレット色（紫色）、冥王星にはクリア色（透明色、白色）がそれぞれ付されている。また、星座カード２８の牡羊座には赤色、牡牛座にはコーラル色（珊瑚色）、双子座にはオレンジ色、蟹座にはゴールド色（金色）、獅子座には黄色、乙女座にはライム色、天秤座には緑色、蠍座にはターコイズ色（青緑色）、射手座には青色、山羊座にはインディゴ色（藍色）、水瓶座にはバイオレット色、魚座にはマゼンタ色がそれぞれ付されている。
【００３４】
なお、天体カード２７にはそれぞれにパワーストーンの概念を付加してもよい。この概念はパワーストーンマーク２９として天体カード２７の表面に記載される。それぞれの天体に対応するパワーストーンは、図１２に示すとおりである。
【符号の説明】
【００３５】
１：ホロスコープ作成本体、２：回転軸、３：中心線、４：星座盤、５：基準円、６：星座記載部、７：星座記号、８：第１の目盛り円、９：第２の目盛り円、１０：ハウスカスプシート、１１：境界線、１２：つまみ、１３：天体ユニット、１４：天体セグメント、１５：天体記号、１６：第１の天体シート、１７：第２の天体シート、１８：ハウス、１９：ねじ孔、２０：ナット、２１：目印、２２：目印、２３：天体駒、２４：アスペクトカード、２５：基準線、２６：ハウスカード、２７：天体カード、２８：星座カード、２９：パワーストーンマーク、３０：アスペクト円、１００ａ〜１００ｄ：回転軸を挿通可能な孔
【図１】
0003202731.tif 000003
【図２】
0003202731.tif 000004
【図３】
0003202731.tif 000005
【図４】
0003202731.tif 000006
【図５】
0003202731.tif 000007
【図６】
0003202731.tif 000008
【図７】
0003202731.tif 000009
【図８】
0003202731.tif 000010
【図９】
0003202731.tif 000011
【図１０】
0003202731.tif 000012
【図１１】
0003202731.tif 000013
【図１２】
0003202731.tif 000014